(57)【要約】本発明は、ＡＣ／ＤＣ継電器、ＡＣ／ＤＣ接触器およびＡＣ／ＤＣ低電圧装置等の電気製品の分野に関する。特に、本発明は、電気製品のハウジングに形成されるベント構造体に関する。ある好ましい態様では、本発明は、電気製品のハウジングのためのベント構造体を供する。ベント構造体はハウジングに形成される第１壁と第２壁と間のクリアランスにより規定される。クリアランスは第１壁の第１表面と第２壁の第２表面との間に位置付けられる。第１壁と第２壁は同じ平面にない。本発明では、特定のダイがそのようなハウジングの成形に採り入れられる。ダイの雄のダイ・インサートと雌のダイ・インサートとの間の係合により、電気製品のハウジング中のベント構造体は、段違い構造と落差構造を有している。
2013522869.tif 000002
【特許請求の範囲】
【請求項１】
電気製品（１）のハウジングのためのベント構造体（１０）であって、
前記ベント構造体（１０）が、ハウジング（１）に形成される第１壁（１０ｂ）と第２壁（１０ｃ）との間のクリアランス（１０ａ）により規定され、
前記クリアランス（１０ａ）が、第１壁（１０ｂ）の第１表面（１ｂ）と第２壁（１０ｃ）の第２表面（１ｃ）との間に位置付けられ、
前記第１壁（１０ｂ）と前記第２壁（１０ｃ）とが同一平面にないことを特徴とする、ベント構造体（１０）。
【請求項２】
前記第２壁（１０ｃ）と前記第１壁（１０ｂ）とが互いに平行であり、
前記第２壁（１０ｃ）の上面（１ｆ）が前記第１壁（１０ｂ）の上面（１ｄ）よりも高く、又
前記第２壁（１０ｃ）の下面（１ｅ）が前記第１壁（１０ｂ）の下面（１ｇ）よりも高いことを特徴とする、請求項１に記載のベント構造体。
【請求項３】
前記第２壁（１０ｃ）の前記上面(１ｆ)と前記電気製品のハウジング(１)の頂面(１ａ)とが同一平面にあることを特徴とする、請求項２に記載のベント構造体。
【請求項４】
前記第２壁(１０ｃ)の前記上面(１ｆ)が、電気製品のハウジング(１)の前記頂面(１ａ)よりも低いことを特徴とする、請求項２に記載のベント構造体。
【請求項５】
前記第２壁(１０ｃ)が、電気製品のハウジング(１)の前記頂面(１ａ)と平行であることを特徴とする、請求項４に記載のベント構造体。
【請求項６】
前記クリアランス(１０ａ)が、棒形状の横断面を有していることを特徴とする、請求項１に記載のベント構造体。
【請求項７】
前記クリアランス(１０ａ)の幅が、０．１３ｍｍ以下であることを特徴とする、請求項１に記載のベント構造体。
【請求項８】
前記ベント構造体(１０)の全体的な形態が、円形状であることを特徴とする、請求項１に記載のベント構造体。
【請求項９】
前記ベント構造体(１０)の全体的な形態が、楕円形状であることを特徴とする、請求項１に記載のベント構造体。
【請求項１０】
前記ベント構造体(１０)の全体的な形態が、正方形状であることを特徴とする、請求項１に記載のベント構造体。
【発明の詳細な説明】
【技術分野】
【０００１】
本出願は、参考のため本明細書に組み入れられている中国国家知識産権局へ２０１０年３月１０日に出願した中国特許出願番号第２０１０２０１３０５２２．０号を優先権主張するものである。
【０００２】
本発明は、ＡＣ／ＤＣ継電器、ＡＣ／ＤＣ接触器およびＡＣ／ＤＣ低電圧装置等の電気製品に関する。特に、本発明は、電気製品のハウジングに形成されるベント構造体に関する。
【背景技術】
【０００３】
ＡＣ／ＤＣ継電器、ＡＣ／ＤＣ接触器およびＡＣ／ＤＣ低電圧装置は、ＤＣ主回路のオン／オフ機能を頻繁に切換えするための自動切換え電気製品である。これら電気製品により制御されるデバイスとして、電子／電気装置、エンジニアリング機械、家電製品、電気負荷装置、産業用プラント、コンバーター等が挙げられる。現在、ＡＣ／ＤＣ継電器、ＡＣ／ＤＣ接触器およびＡＣ／ＤＣ低電圧装置は、電子／電気装置、エンジニアリング機械、家電製品、電気負荷装置、産業用プラント、コンバーター等の産業で幅広く用いられている。
【０００４】
今日では、シールされたものとシールされていないものの２つのタイプのＡＣ／ＤＣ継電器、ＡＣ／ＤＣ接触器およびＡＣ／ＤＣ低電圧装置がある。シールされていないものは通常ベント機構を有している。しかしながら、標準的なベント機構は、ダイアッセンブリの製造量、ダイの大量生産の安定性、アッセンブリの質、アリの侵入を防ぐための最小のベントサイズ等で欠点を有する。図１ａ〜１ｆは標準的なベント構造体の機構を示す。図２は標準的なベント構造体を形成するためのダイの雌ダイ・インサートを示す。図３は  ダイの雄および雌のダイ・インサートとの間の係合を示す概略図である。
【０００５】
具体的には、標準的なベント構造体の機構は、下記の欠点および/又は問題を有する。
【０００６】
第１に、製造物の（電気製品のハウジングのための）ベント製造量は少なく、又、最終製品の信頼性は十分ではないことで、結果として製造の高コスト化をもたらす。
【０００７】
第２に、製造工程において、製造物の実際の大きさは、製造物の機能性の確保が求められるためその大きさを満たさない。具体的には、ベントの大きさは、アリの侵入を防ぐための最小サイズである０．１４ｍｍを達成しないかもしれない。
【０００８】
第３に、ベントは、ベント周縁のバリやベントを通るホットガスによるベントの焼成等の重大な問題をもたらすかもしれない。
【０００９】
第４に、ベントのサイズは小さく、ベントの形状は鋭いため成形工程の間ベントをふさぐことは困難である。
【００１０】
第５に、ダイ・インサートは、製造効率が悪いため耐用年数が短く、頻繁に交換される。それ故、ダイ・インサートのメンテナンス時間が増えてしまう。
【００１１】
第６に、ベントのサイズは一貫していないので、最終製品の競争力が低下してしまう。
【００１２】
すなわち、標準的なベント構造体の機構では、ベント構造体はしばしば製造物の設計条件を満足しない。その結果、ベントは、重大な問題を有し、安定性を欠き、相対的に複雑な製造プロセスとなる。結果として得られるベントは、成形工程の間の設計要件と機能性要件を満たさない。
【００１３】
技術の進歩に伴い、継電器等の電気装置のための高い機能的および技術的要件、製造物のための高い質的要件、および低製造コストのための厳密な要件が求められる。そのため、当業者は、上記問題の少なくとも１つの態様を克服する又は軽減するベント構造体が供されることを望んでいる。
【発明の概要】
【発明が解決しようとする課題】
【００１４】
１つ又はそれよりも多い上記欠点又は問題を解決する又は軽減する電気製品のハウジングのためのベント構造体を供することが、本発明の目的である。
【００１５】
本発明の態様では、電気製品のハウジングのためのベント構造体が供される。このベント構造体は、ハウジングに形成される第１壁と第２壁と間のクリアランスにより規定される。クリアランスは第１壁の第１表面と第２壁の第２表面との間に位置づけられる。第１壁と第２壁は同じ平面にない。
【００１６】
本発明のある好ましい態様では、第２壁と第１壁は互いに平行であり、第２壁の上面は第１壁の上面より高く、第２壁の下面は第１壁の下面より高い。
【００１７】
好ましくは、第２壁の上面は電気製品のハウジングの頂面よりも低い。
【００１８】
本発明の別の好ましい態様では、第２壁の上面と電気製品のハウジングの頂面は同一平面にある。
【００１９】
特定の態様では、第２壁は電気製品のハウジングの頂面と平行である。
【００２０】
具体的には、クリアランスは棒形状の横断面を有する。好ましくは、クリアランスの幅は０．１３ｍｍ以下である。
【００２１】
本発明のある好ましい態様では、ベント構造体の全体的な形態は円形状の横断面を有する。本発明の他の好ましい態様では、ベント構造体の全体的な形態は楕円、長方形、正方形(又は四角形；ｓｑｕａｒｅ)等の任意の形状、又は他の任意の定型又は非定型の形状を有していてよい。
【００２２】
上記で明らかであるように、本発明は少なくとも下記の利点を有する。
【００２３】
本発明は、電気製品のハウジングに用いられるベント構造体を供する。特定のダイが、そのようなハウジングの成形に採り入れられる。ダイの雄のダイ・インサートと雌のダイ・インサートとの間の係合を通じて、電気製品のハウジングのベント構造体は、段違い(又はずらした；ｓｔａｇｇｅｒｅｄ)構造と落差構造を有している。本発明の電気製品のハウジングにあるベント構造体は、成形工程およびハウジングの最終形態において下記の恩恵と利点の１つを少なくとも有している。
【００２４】
１．ハウジングはプラスチック材料から成り、コストが低く、製造工程が簡単である。製品設計およびダイの配置がより簡単であり、ハウジングを大量に生産することが可能である。
【００２５】
２．大量生産の間の継電器等のケース製品の信頼性が大幅に改善される。
【００２６】
３．雌のダイ・インサートの製造量とダイの大量生産の信頼性が大幅に改善される。
【００２７】
４．雌のダイ・インサートの強度を改善したことで雌のダイ・インサートの耐用年数がより長くなり、又、ダイの信頼性の改善、良好な製造効率、および低コストにより雌のダイ・インサートのメンテナンス費用が減る。
【００２８】
５．雄のダイ・インサートの精密な製造が改善されるように、装置を研削して、成形の間の雌のダイ・インサートの係合面に隣接する雄のダイ・インサートの係合面を処理できる。
【００２９】
６．電気製品のハウジング中のベント構造体の質を確保するために、バリ、ベント構造体を通るホットガスによるベントの焼成等の重大な問題やベント構造体の成形の困難さ等が効率的に低減されてよい。
【００３０】
７．本発明のベント構造体は十分な換気機能を有するだけでなく、要求に応じた製造物の機能性を確保する一定の大きさを有する。例えば、アリの侵入を抑制するために、ベントの大きさは０．１３ｍｍ以下又はそれよりも大きくてよい。
【００３１】
本発明の上記ベント構造体を有する電気製品のハウジングは、ＡＣ／ＤＣ継電器、ＡＣ／ＤＣ接触器およびＡＣ／ＤＣ低電圧装置等の電気製品のハウジングに適用されるだけでなく、製造物等のハウジングにも又適用されてよい。
【００３２】
本発明のこれらおよび/又は他の目的、特徴および利点は、下記の実施態様の記載および添付図面から明らかになり、より理解できるであろう。
【図面の簡単な説明】
【００３３】
【図１】図１は、従来技術である標準的なベント構造体の機構を有する電気製品のハウジングの構造上の概略図である。
【図１Ａ】図１Ａは、電気製品のハウジングのベント構造体の機構の部分拡大図である。
【図１Ｂ】図１Ｂは、図１Ａの線分Ｂ−Ｂに沿った横断面図である。
【図１Ｃ】図１Ｃは、図１Ａの線分Ｃ−Ｃに沿った横断面図である。
【図２】図２は、従来技術である標準的なベント構造体の機構を有するダイの雌のダイ・インサートの構造上の概略図である。
【図３】図３は、従来技術である標準的なベント構造体の機構を有する雄と雌のダイ・インサート間の係合を示す概略図である。
【図４】図４は、本発明のある好ましい態様での電気製品のハウジングの構造上の概略図である。
【図４Ａ】図４Ａは、図４に示される電気製品のハウジングの側面図である。
【図４Ｂ】図４Ｂは、図４Ａの線分Ａ−Ａに沿った横断面図である。
【図４Ｃ】図４Ｃは、図４Ａの線分Ｂ−Ｂに沿った横断面図である。
【図４Ｄ】図４Ｄは、本発明のある好ましい態様での電気製品のハウジングのベント構造体の機構を示す図４Ｃの部分拡大図である。
【図５】図５は、本発明のある好ましい態様での標準的なベント構造体の機構を有したダイの雌のダイ・インサートの構造上の概略図である。
【図６】図６は、本発明のある好ましい態様の標準的なベント構造体の機構を有した雄と雌のダイ・インサートとの間の係合を示す概略図である。
【図６Ａ】図６Ａは、図６に示される電気製品のハウジングのためのダイの側面図である。
【図６Ｂ】図６Ｂは、図６に示される電気製品のハウジングのためのダイの別の側面図である。
【図６Ｃ】図６Ｃは、本発明の上記好ましい態様の雄と雌のダイ・インサートによりベント構造体が成形されている状態を示す図６Ｂの部分拡大図である。
【発明を実施するための形態】
【００３４】
本発明の典型的な態様は添付の図面と共に下記にて詳細に説明される。しかしながら、本発明は多くの異なる態様で具現化されてよく、本明細書に記載の態様に限定されるように構成されるものではない。むしろ、これらの態様が供されることで、本発明が徹底されて完全となり、当業者に本発明の概念がしっかりと伝わるであろう。
【００３５】
図４〜１１をご参照されたい。本発明は、ＡＣ／ＤＣ継電器、ＡＣ／ＤＣ接触器、ＡＣ／ＤＣ低電圧装置等電気製品のハウジングに適用されるベント構造体を供する。又、本発明はそのようなベント構造体のためのダイを示す。ダイは、特有のベント形成機構を有する雄のダイ・インサートと雌のダイ・インサートを含んで成る。
【００３６】
具体的には、図４および図４Ａ〜４Ｄに示すように、本発明は、ベント構造体１０を有した電気製品１のハウジングを供する。本発明のある好ましい態様では、図４および図４Ａ〜４Ｃに示すように、好ましくは、ベント構造体１０は電気製品１のハウジングのコーナー付近に形成され、換気機能を得るために電気製品１のハウジングの内側にある空気と外気とを通ずるように適合させている。
【００３７】
本発明のある好ましい態様では、図４Ａに示すように、ベント構造体１０の外観（全体の形状）は好ましくは円形状である。当然に、本発明の他の好ましい態様では、実際の設計条件により、ベント構造体１０の全体的な形態は楕円状、長方形状、正方形状又は任意の他の定型又は非定型形状から選択される形状を有していてよい。実際のところ、ベント構造体１０の全体的な形態は、ダイにおける（例えば図５に示すような）雌のダイ・インサートの対応する形態により決定される。本発明によれば、図４Ｄに示すように、ベント構造体１０はハウジング１に形成される第１壁１０ｂと第２壁１０ｃとの間のクリアランス１０ａにより規定される。クリアランス１０ａは第１壁１０ｂの第１表面１ｂと第２壁１０ｃの第２表面１ｃとの間に位置付けられ、第１壁１０ｂと第２壁１０ｃは同一平面にない。すなわち、本発明によれば、ベント構造体１０の第１壁１０ｂと第２壁１０ｃとの間の高さに違いがあるということである。例えば、図４Ｄに示される好ましい態様では、第１壁１０ｂの上面１ｄと第２壁１０ｃの下面１ｅは同一平面にある。それにより、第１壁１０ｂと第２壁１０ｃとの間の高さに違いが生じる。本発明のある好ましい態様によれば、第２壁１０ｃと第１壁１０ｂは互いに平行である。第２壁１０ｃの上面１ｆは第１壁１０ｂの上面１ｄよりも高く、第２壁１０ｃの下面１ｅは第１壁１０ｂの下面１ｇよりも高い。その一方で、第２壁１０ｃの上面１ｆは電気製品１のハウジングの頂面１ａよりも低い。更に、この好ましい態様では、第１壁１０ｂの第１面１ｂと第２壁１０ｃの第２面１ｃとは互いに平行であり、第１壁１０ｂと第２壁１０ｃにおおよそ垂直である。
【００３８】
又、本発明の別の好ましい態様では、第２壁１０ｃの上面１ｆと電気製品１のハウジングの頂面１ａとは同じ平面にあってよい。
【００３９】
具体的には、図４Ａに示すように、クリアランス１０ａは棒形状の断面を有する。本発明によれば、クリアランス１０ａの幅は０．１３ｍｍ以下であるように設計されてよい。そのような設計サイズを有するクリアランス１０ａは、換気機能を有するだけでなく、異物（例えば、アリ）の侵入を抑制するためのベントの大きさの条件を満たしている。他の好ましい態様では、上記のクリアランスの大きさは実際の条件に従って設計されてよい。例えば、クリアランスの幅は、０．１３ｍｍよりも大きくてよい。
【００４０】
すなわち、本発明の電気製品のハウジングは、段違い構造と落差構造を有したベント機構を採り入れている。これにより、求められる製造物に応じてベントの大きさが制御され、又、ベント構造体の質を確保するために、例えばベント構造体を通るガスによりベント構造体が焼成されて生じるベント構造体のバリや、ベント構造体の成形の困難さ等が効率的に低減されてよい。
【００４１】
図５、図６および図６Ａ〜６Ｃを参照すると、本発明のある好ましい態様によれば、（特にベント構造体に構造上の特徴を示す）電気製品のハウジングのための雄/雌のダイ・インサート８、９を含むダイが示されている。
【００４２】
第１に、図５に示すように、ベント構造体が空洞の円形状である例では、雌のダイ・インサート８のショルダーが、精度の高い切り欠きのある円形断面を有するように構成されている。ベント構造体の成形の間、雄のダイ・インサートと雌のダイ・インサートとを互いに係合する際にベントの長手方向に沿ったベントの２端間の大きさの違いをなくすために、切り欠きのある円形断面を有する雌のダイ・インサート８は、成形工程の間に回転しないようにする。第２に、図６および図６Ａ〜６Ｃに示すように、雄のダイ・インサート９と雌のダイ・インサート８との間の係合のため、雄のダイ・インサート９と雌のダイ・インサート８とを研磨機により加工することで、約０．００２ｍｍの精度にすることができる。特に、雄と雌のダイ・インサート８、９の係合面の平坦性を厳密に制御し、実質的に決定する必要がある。更に、係合面の高い平坦性により、成形工程の間、雄と雌のダイ・インサートの相互の係合と分離とを行うことができる。ここで、過度な高さを有した雌のダイ・インサート８により、雄のダイ・インサートと雌のダイ・インサートが相互に係合する場合に、接触量が増えるかもしれず、それによって、ダイ・インサートにダメージが生じてしまうことに留意する必要がある。その一方で、十分な高さを有していない雌のダイ・インサート８により、完成品であるベントの周縁にバリが生じるかもしれない。それ故、上記の状態を避けるため、ダイ・インサートを組み立てる場合、ダイ・インサートの高さを調節するためのダイ・インサートの基準となる大きさを供するために、ダイ・インサートおよびダイ・インサートのフィッティングのサイズを決定する必要がある。最後に、ダイ・インサートを機械加工して組み立てる場合、設計される大きさに従い雄のダイ・インサート９の大きさを正確に制御する必要がある。次いで、雄のダイ・インサートと雌のダイ・インサートが相互に係合する接触量を調節するため、雌のダイ・インサート８の大きさ(実際の高さ)を調節してもよい。上記方法を採り入れることで、雄と雌のダイ・インサート８、９の厚さは、電気製品のハウジングの厚さによって決まる。ダイの雄および雌のダイ・インサート８、９の係合では、雄のダイ・インサート９と雌のダイ・インサート８との間に少なくともある接触部(すなわち、電気製品のハウジング中のベント構造体)がある。図６Ｃは、ダイの雄と雌のダイ・インサート８、９が相互に係合している状態を示す。
【００４３】
本発明の上記ベント構造体を有した電気製品のハウジングは、ＡＣ／ＤＣ継電器、ＡＣ／ＤＣ接触器、ＡＣ／ＤＣ低電圧装置等の電気製品のハウジングに適用されるだけでなく、同様の製品のハウジングに適用されてよい。
【００４４】
いくつかの典型的な態様を示し説明してきたが、本発明の理念や趣旨、すなわちクレームおよびクレームに相当するものに規定される範囲から逸脱することなくこれらの態様に様々な変更又は修正がされてもよいことは、当業者により理解されよう。  
【図１】
2013522869.tif 000003
【図１Ａ】
2013522869.tif 000004
【図１Ｂ】
2013522869.tif 000005
【図１Ｃ】
2013522869.tif 000006
【図２】
2013522869.tif 000007
【図３】
2013522869.tif 000008
【図４】
2013522869.tif 000009
【図４Ａ】
2013522869.tif 000010
【図４Ｂ】
2013522869.tif 000011
【図４Ｃ】
2013522869.tif 000012
【図４Ｄ】
2013522869.tif 000013
【図５】
2013522869.tif 000014
【図６】
2013522869.tif 000015
【図６Ａ】
2013522869.tif 000016
【図６Ｂ】
2013522869.tif 000017
【図６Ｃ】
2013522869.tif 000018
【国際調査報告】
2013522869.tif 000019
2013522869.tif 000020
2013522869.tif 000021